(57)【要約】【課題】取手を引いてグリル庫を開閉しなくてもグリル庫内の調理物の焼き具合を良好に確認できるグリル付コンロについて、清掃性を向上させることを目的とする。【解決手段】グリル庫１２内確認用の覗き窓について、グリル庫１２に近い内側の窓部４０と外側の窓（ガラス製トッププレート１０における非印刷領域Ｒ）との二重構造とする。そして、内側の窓部４０について、器具正面上方に備えられた取手４０ｄを前部に引き出すことで、器具本体１より単独で取り出し可能とする。  これにより、グリル庫内に近く汚れやすい内側の窓部４０のみを、外側の窓（非印刷領域Ｒ）とは分離して掃除することができる。  そのため、窓部４０の手入れを簡単に行うことができる。【選択図】    図１
2005111089.tif 000002
【特許請求の範囲】
【請求項１】
グリル庫内に被調理物を載置してグリルバーナの燃焼熱により被調理物を加熱調理し、器体上面に設けられた覗き窓から被調理物の焼け具合を確認可能なグリル付コンロにおいて、
上記覗き窓は、可透過視材からなる内側の第一窓板と外側の第二窓板とより形成される二重窓構造であり、
上記第一窓板を上記第二窓板とは分離して器具本体から取り出す取出手段を備えたことを特徴とするグリル付コンロ。
【請求項２】
上記第一窓板は、器具本体の上面に設けられるトッププレートと平行に設置され、器具本体の正面よりスライドして取り出されることを特徴とする請求項１記載のグリル付コンロ。
【請求項３】
上記第一窓板を器具本体の正面より所定の位置までスライド挿入した時、該第一窓板はグリル天板に形成された覗き用開口を密閉することを特徴とした請求項２記載のグリル付コンロ。
【請求項４】
器具本体の上面にガラスを素材としたガラストッププレートを備え、
上記ガラストッププレートは透過視不能な印刷が施されるとともに、その一部において非印刷領域が設けられ、
上記非印刷領域と上記第二窓板とは兼用されることを特徴とする請求項３記載のグリル付コンロ。
【発明の詳細な説明】
【技術分野】
【０００１】
本発明は、被調理物をグリル庫内で加熱調理するグリルを備えたグリル付コンロに関する。
【背景技術】
【０００２】
従来よりグリル付コンロにおいては、例えば特許文献１に示すようにグリル上面に覗き窓を設けたものが提案されている。
このようなグリル付コンロ１ａは、図４に示すように、グリル庫１１２上面に、グリル開口１３０を有する突出部１３０ａを形成し、突出部１３０ａと対面するトッププレート（天板）１１０に、トップ開口１１０ａを形成する。そして、トップ開口１１０ａには、本体とは別体の覗き窓部１３８を取付可能としている。
覗き窓部１３８は、図８に示すように、グリル庫１１２に近い第一窓板５ａ、グリル庫１１２より遠い第二窓板５ｂと、窓板５ａ、５ｂの外周を上から覆うアルミダイキャスト製の枠体３５と、窓板５ａ、５ｂの外周端を挟み込み固定する挟体３７とから一体的に形成される。
このようなグリル付コンロでは、窓板５ａ、５ｂを通してグリル庫１１２内の調理物Ｆの焼け具合を随時確認できるため、調理物を確認するためにグリル庫１１２前面に備えられた取手を引き出して調理物を直接確認する必要がない。そのため、グリル庫１１２の熱エネルギー損失がなく、調理物は速やかに加熱される。
また、第一窓板５ａと第二窓板５ｂとの隙間３８には、自然ドラフト力によって外部から吸引された空気が流れるために、使用者が直接触れる可能性のある第一窓５ａについて過熱が防止され、使用者に火傷の恐れがない。
【特許文献１】特開２００３−１８５１５３
【発明の開示】
【発明が解決しようとする課題】
【０００３】
しかしながら上記従来技術においては、第一窓板５ａと第二窓板５ｂとは、一体的に固定されていたため、以下の問題があった。
例えば、どちらか一方の窓板のみが汚れた場合、汚れた窓板と一体的に構成されたもう一枚の窓板および枠体３５や挟体３７についても、そのまま覗き窓部１３８として取り外し、洗わなくてはならない。つまり、使用者は、大きくて重たい覗き窓部１３８全体を、そっくり外して丸洗いしなくてはならない。
しかも、実際に汚れるのは直接グリル庫に接触した第一窓板５ａであり、第二窓板５ｂや枠体３５については殆ど汚れないにもかかわらず、第一窓板５ａが頻繁に汚れるために、同時に丸洗いされていた。
本発明はかかる課題を解決し、器体上面に設けられた覗き窓からグリル庫内の被調理物の焼け具合を確認可能なグリル付コンロにおいて、２重構造の覗き窓の掃除性を向上することを目的とする。
【課題を解決するための手段】
【０００４】
上記課題を解決する本発明の請求項１記載のグリル付コンロは、グリル庫内に被調理物を載置してグリルバーナの燃焼熱により被調理物を加熱調理し、器体上面に設けられた覗き窓から被調理物の焼け具合を確認可能なグリル付コンロにおいて、
上記覗き窓は、可透過視材からなる内側の第一窓板と外側の第二窓板とより形成される二重窓構造であり、
上記第一窓板を上記第二窓板とは分離して器具本体から取り出す取出手段を備えたことを要旨とする。
【０００５】
また、上記課題を解決する本発明の請求項２記載のグリル付コンロは、上記請求項１記載のグリル付コンロにおいて、上記第一窓板は、器具本体の上面に設けられるトッププレートと平行に設置され、器具本体の正面よりスライドして取り出されることを要旨とする。
【０００６】
また、上記課題を解決する本発明の請求項３記載のグリル付コンロは、上記請求項２記載のグリル付コンロにおいて、上記第一窓板を器具本体の正面より所定の位置までスライド挿入した時、該第一窓板はグリル天板に形成された覗き用開口を密閉することを要旨とする。
【０００７】
また、上記課題を解決する本発明の請求項４記載のグリル付コンロは、上記請求項３記載のグリル付コンロにおいて、器具本体の上面にガラスを素材としたガラストッププレートを備え、
上記ガラストッププレートは透過視不能な印刷が施されるとともに、その一部において非印刷領域が設けられ、
上記非印刷領域と上記第二窓板とは兼用されることを要旨とする。
【発明の効果】
【０００８】
上記構成を有する本発明の請求項１記載のグリル付コンロは、覗き窓を内側の第一窓板と外側の第二窓板とより形成される二重構造とするとともに、第一窓板を第二窓板とは分離して器具より取り出すことが可能な構造としたために、使用者の手の触れる恐れのある第二窓板の過熱を抑制することができるとともに、汚れやすい第一窓板のみを第二窓板とは分離して掃除することができる。
そのため、使用者の安全性および覗き窓の掃除性を同時に向上させることができる。
【０００９】
上記構成を有する本発明の請求項２記載のグリル付コンロは、第一窓板について、トッププレートと平行に設置するとともに器具本体の正面よりスライドして取り出す構成としたために、第一窓板は上下方向にあまりスペースをとらない。
これにより、第一窓板の面積を大きくした場合にもグリル庫内や器具本体の他部品の配置について制限せず、覗き窓の面積を十分大きくすることができるために、グリル庫内の視認性を一層向上させることができる。
また、第一窓板はフラットな形状となるために、一層掃除がしやすくなる。
【００１０】
上記構成を有する本発明の請求項３記載のグリル付コンロは、第一窓板が器具本体の正面よりスライド挿入された時に、グリル天板に形成された覗き用の開口を密閉する。そのため、第一窓板が挿入された状態では、第一窓板よりも上部にグリル庫内のバーナ燃焼排気が入らない。
これにより、第一窓板よりも上部に位置するトッププレートの過熱を抑制し、使用者の火傷を防止する。
【００１１】
上記構成を有する本発明の請求項４記載のグリル付コンロは、透過視不能な印刷を施したガラス性のトッププレートに非印刷領域を設け、グリル庫内確認用の第二窓として兼用するために、トッププレート上に別体の覗き窓を設けた場合とは異なり、トッププレートをフラットな形状とすることができる。そのため、美観を向上させることができるとともに、上面が汚れた場合にも簡単に拭き取ることができる。また、覗き窓とトッププレートとの間に隙間が形成されることがなく、調理容器からこぼれた煮汁が器体内に入り込むようなことが無い。
さらに、部品点数を減少させることができるために、安価に製造することが可能である。
また、ガラス製のトッププレートは重く、取り外して裏面から拭き取ることが困難であるが、トッププレートの下部に形成された隙間に第一窓板を挿入するために、第一窓板よりも上部に位置するトッププレートは、グリル庫内で発生する油煙によって汚れることがない。さらに、トッププレートの下部に形成された隙間を有効に活用することができる。
【発明を実施するための最良の形態】
【００１２】
以上説明した本発明の構成、作用を一層明らかにするために、以下、本発明のグリル付コンロにおける好的な実施例について説明する。
【実施例１】
【００１３】
本発明の実施例１の調理器としてのビルトインコンロについて図３を用いて説明する。
ビルトインコンロ１は、キッチンユニットのカウンタートップ２に形成した四角形の上面開口に器具本体を落とし込み、器具本体の上端フランジ（図示略）をカウンタートップ２に引掛けて係止させて、キッチンカウンター３内に組込まれる。
このビルトインコンロ１は、左右にコンロバーナ７４a、７４ｂが設けられるとともに、コンロバーナ７４ａ、７４ｂの中央後方には、とろ火用のコンロバーナ７４ｃが設けられる。さらに、コンロバーナ７４ｃの後方にはグリル排気口７４ｄが形成される。
そして、器具本体の上方から、これらコンロバーナ７４ａ、７４ｂ、７４ｃ、およびグリル排気口７４ｄが露出するように開口されたトッププレート１０が載置され、器体内部を覆うように構成されている。
【００１４】
トッププレート１０は、一枚の透過視性のガラスで形成され、上面および下面に透過視不能な印刷１００がほどこされる。
このトッププレート１０は、コンロバーナ７４ａ、７４ｂ、７４ｃ、およびグリル排気口７４ｄに臨む位置に、それぞれ開口が形成される。
そして、コンロバーナ７４ａ、７４ｂの間には、印刷１００を施さない非印刷領域Ｒが設けられる。この非印刷領域Ｒは長方形状であり、後述するグリル庫天板上に形成された覗き用開口の上部に形成される。
つまり、このトッププレート１０は、非印刷領域Ｒにおいてはガラスの有する透過視性を保つ一方、非印刷領域Ｒ以外の印刷１００領域は非透過視性を有する。これにより、非印刷領域Ｒにおいては、トッププレート１０を通して下部を視認することができ、非印刷領域Ｒ以外の印刷１００領域ではトッププレート１０の下部を視認することができない。
このトッププレート１０上に形成された非印刷領域Ｒが本発明の第二窓板に相当する。
【００１５】
このトッププレート１０の上面には、コンロバーナ７４ａ、７４ｂ、７４ｃを囲むようにゴトク７５ａ、７５ｂ、７５ｃがそれぞれ搭載される。使用者はゴトク７５ａ、７５ｂ、７５ｃの上に図示しない調理鍋を載せ、点火ボタン７１ａ、７１ｂ、７１ｃを操作することによりコンロバーナ７４ａ、７４ｂ、７４ｃを点火して調理する。
【００１６】
こんろバーナ７４ａ、７４ｂ間の器体の中心部には、魚等の被調理物を焼くためのグリル１３が、トッププレート１０の下方に設けられ、操作ボタン１３ａを押して点火し加熱調理が行われる。
このグリル１３は片面焼きタイプのグリルで、図１、図２に示すように被調理物Ｆを加熱調理するグリル庫１２を備える。
グリル庫１２には、上段左右側面に設けられ燃料ガスを燃焼させて被調理物Ｆを加熱するバーナ２０と、中段に設けられ被調理物Ｆを載せる焼網２２と、底部に設けられ焼網２２を載せたまま手前にスライドさせて引き出すことができる受皿２４とを備える。
【００１７】
グリル庫１２の正面中央には、受皿２４と一体的に固定され受皿２４を手前に引き出す取手６２が設けられる。
取手６２を手前に引き出すと、取手６２に固定された受皿２４がグリル庫１２の底面をスライドし、受皿２４に載置された焼網２２が同時に引き出される。
【００１８】
グリル庫１２の左右側面に設けたバーナ２０は、多孔質セラミックスの平面プレートに多数の小炎口を貫通させた燃焼面を有し、燃焼に必要な空気の殆どを一次空気として吸入する全一次空気式のバーナである。
尚、バーナ２０に臨んで図示しない点火電極が設けられる。
【００１９】
グリル庫１２の背部には、仕切壁５２を介して排気室５０を併設し、この仕切壁５２に開口してグリル庫１２と排気室５０とを連通する連通口５４を焼網２２よりも下方に設けている。従って、バーナ２０から発生した燃焼排気をいったん庫内に充満させた後、排気室５０を介して排気口５１より排出されるよう排気路を構成している。
【００２０】
また、グリル天板３０は、図１４に示すように、中央に谷部が、その両側に山部が、それぞれ奥方向に沿って形成されている。
このようにグリル天板３０を構成することにより、バーナ２０の燃焼排気は、グリル庫内１２の左右側面に備えられたバーナ２０から、山部の斜面に沿って上昇した後、谷部の斜面に沿ってグリル庫１２中央に向かって下降し、この熱気対流によって被調理物Ｆを加熱した後、連通口５４、排気室５０を経由して、排気口５１より排出される。
つまり、グリル天板３０は、被調理物Ｆをムラなく均一に加熱する最も適した構造となっている。
【００２１】
グリル天板３０の手前中央には、図６に示すように、グリル庫１２内部を上から覗くことのできる覗き用開口部３０ａが形成される。
覗き用開口部３０ａは、上述したトッププレート１０上の非印刷領域Ｒよりもひと回り大きい長方形状であり、非印刷領域Ｒの下方（グリル天板３０手前中央）に設けられる。
【００２２】
そして、覗き用開口部３０ａと非印刷領域Ｒとの間には、覗き窓組立３４が設置される。
覗き窓組立３４は、枠体下部３２と窓部４０と枠体上部３３とからなる。
【００２３】
枠体下部３２は四角筒形状であり、左右側面には、それぞれ直径３ｍｍ程度の孔３２ｂが６箇所に対面するように設けられる。また、前後側面の下端部は、中心部に向かって、左右にそれぞれ下向きの傾斜がＶ字形状に形成される。
枠体下部３２の下方には外側に伸びたフランジ３２ａが形成され、上方には窓部４０の周囲を支えるための支面３２ｃが内側に曲折して形成される。
この枠体下部３２は、その内周壁で囲まれる領域を覗き用開口部３０ａに整合させ、フランジ３２ａにおいてグリル天板３０とスポット溶接される。
【００２４】
窓部４０は、図５に示すように、窓板４０ｂと窓枠部４０ｃと取手４０ｄと連結部４０ｅとから形成される。この窓部４０は、本発明の第一窓板に相当するものである。
窓板４０ｂは、長方形の透過視性を有する耐熱ガラスで形成され、厚さは７ｍｍ程度である。
窓枠部４０ｃは、耐熱性、耐食性のステンレス板を折り曲げて形成され、窓板４０ｂの左右及び後部の外周端部を挟み込むように構成される。また、窓板４０ｂの前部においては、連結部４０ｅが前方に向けて形成される。
なお、窓枠部４０ｃと連結部４０ｅとは、一枚のステンレス板にて一体形成される。
取手４０ｄは、連結部４０ｅの前方端部に備えられ、耐熱性のプラスチックで形成される。
この窓部４０は、上述した枠体下部３２の支面３２ｃと後述する枠体上部３３の固定部３３ａとから形成される隙間に左右両端を支えられる。
【００２５】
枠体上部３３は、図６に示すように、四角筒形状の枠部３３ｃと、枠部３３ｃの上端を内側に曲折してトッププレート１０との当接面を形成する支面３３ｄと、枠部３３ｃの左右の下端をＬ字状に曲折して窓板４０の押さえ面を形成する固定部３３ａとからなる。
支面３３ｄは、中央に開口部３３ｂを形成する。開口部３３ｂはトッププレート１０の非印刷領域Ｒ下部に位置する。
【００２６】
左右の固定部３３ａの上面には、それぞれ開口３３ｅが形成されるとともに窓板押さえ４５が設置される。
窓板押さえ４５は、一枚のステンレス板を折り曲げて形成され、開口３３ｅの後部において固定部３３ａの上面とネジで固定されるとともに、開口３３ｅの下部において窓部４０と接触する。
つまり、窓板押さえ４５は板バネであり、バネ荷重により窓部４０を下向きに押さえ付けているのである。
固定部３３ａの側面は、下方において枠体下部３２の側面とスポット溶接される。
【００２７】
この覗き窓組立３４は、グリル天板３０の覗き用開口部３０ａとトッププレート１０の非印刷領域Ｒとの間に、器具本体前面に形成された開口部４０ｆより窓部４０の連結部４０ｅが前面に突出するように設置される。
そして、器具正面より突出した連結部４０ｅに、取手４０ｄが装着される。
【００２８】
上記のような構成により、器具本体の正面上方に備えられた取手４０ｄを手前にひくと、図７に示すように、窓部４０が前面に引き出され、そのまま取り外すことができる。
また、引き出された窓部４０は、器具本体の前面に形成された開口部４０ｆより、器具内部へ再挿入可能である。
これにより、使用者は窓部４０のみを引き出して掃除をすることが可能である。
また、窓部４０は、図６に示すように、窓板押さえ４５によって、枠体下部３２に押しつけられるために、窓部４０と枠体下部３２との間に隙間が形成されない。そのため、調理物Ｆから調理中に飛び散る脂などが窓部４０の下面部より上部に飛散することがなく、窓部４０より上部に位置するトッププレート１０は、調理物Ｆの脂によって汚れることがない。
しかも、窓部４０によりグリル庫１２からの熱が遮られ、トッププレート１０の過熱が抑制される。
【００２９】
窓板４０の下方には、図１、図２に示すように、その脂飛散汚れを防止するためのシャッター４１が設けられ、グリル庫１２と窓板４０とを隔離する。
このシャッター４１は、プレスされた同一形状の６枚の分割板４３により形成され、図１は閉状態を示している。
個々の分割板４３は、図９に示すように、各々中央に向けて下向きの傾斜面を左右に形成した断面略Ｖ字形状の排気ガイド部４３ａと、左右両端において形成される側部４３ｂとを備える。つまり、シャッター４１は、分割板４３を奥方向に水平に並べた閉状態においては、図１４に示すグリル天板３０の形状と整合するような構成となっている。
側部４３ｂには直径２ｍｍ程度の孔４３ｃが形成され、それぞれ径１．５ｍｍ程度のリンク棒４４および支え棒４６が貫通して固定される。
【００３０】
リンク棒４４は、略Ｌ字型に形成され、分割板４３と固定される固定部４４ａと、分割板４３の側面４３ｂから外向きに備えられる軸部４４ｂと、後述するレバー４７が備えられる作用部４４ｃと、レバー４７が抜け落ちることを防止する抜け止め部４４ｄとから形成される。
リンク棒４４は、図１０に示すように、上述した枠体下部３２の側面に設けられた孔３２ｂと、後述する軸支え５３に設けられた孔５３ａとをそれぞれ貫通する。
【００３１】
軸支え５３は一枚の長方形状のステンレス板をＬ字型に折り曲げて形成され、側面には複数の孔５３ａが形成される。孔５３ａには、リンク棒４４がそれぞれ貫通する。
また、軸支え５３は、下面においてグリル天板３０とスポット溶接される。
【００３２】
レバー４７は一枚の長方形状のステンレス板で形成され、複数の孔４７ｂが設けられる。孔４７ｂには、リンク棒４４がそれぞれ貫通する。
レバー４７の前面先端には、後述するＬ型アーム４９が備えられる。
Ｌ型アーム４９は、グリル庫１２の側方に設けられた支え部８４に、軸部４９ａを中心に回動可能に備えられる。
Ｌ型アーム４９の先端部４９ｂは、図１に示すように、器具本体前面に形成されたレバー開口６０ａから突き出てつまみ４８が装着される。
また、支え部８４上部には、図１０に示すように、Ｌ型アーム先端部４９ｂを器具奥方向へ付勢する引っ張りバネ８５が設けられる。
【００３３】
このような構成により、使用者がつまみ４８に触れていない状態においては、Ｌ型アーム先端部４９ｂは、図１、図１１に示すように、引っ張りバネ８５により器具奥方向に付勢される。この場合には、各々の分割板４３により、グリル庫１２と窓部４０とは隔離される。つまり、シャッター４１は閉じた状態に保持される。
【００３４】
一方、使用者がつまみ４８を上から下に移動させると、図１２、図１３に示すように、Ｌ型アーム４９は軸部４９ａを中心に図面反時計回りに回動し、レバー４７は器具手前方向に移動する。
これにより、リンク棒４４の作用部４４ｃは器具前方に力を受け、リンク棒４４及びリンク棒４４に固定された分割板４３は、図１２に示すように、リンク棒４４の軸部４４ｂを中心に回動する。この際には、各々の分割板４３は斜めに立った状態となり、グリル庫１２内に光がさしこみ、グリル庫１２内の奥のほうまで良好に確認できるようになる。
【００３５】
上述するビルトインコンロ１では、調理中に開閉つまみ４８を上から下に移動させることにより、ブラインド構造をしたシャッター４１が開いた状態となり、シャッター４１に隠れていたグリル庫１２の被調理物Ｆが表れる。
これにより、トッププレート１０上に形成された非印刷領域Ｒおよび窓板４０を通してグリル庫内１２に光が差し込み、調理者はグリル庫１２内部の調理物Ｆを視認することができるのである。
従って、調理物を確認するためにグリル庫１２前面に備えられた取手６２を引き出して調理物を直接確認する必要が無く、グリル庫１２の熱エネルギー損失がないため、調理物は速やかに加熱されるのである。
【００３６】
しかも、器具外部からグリル庫１２内を視認するための覗き窓の構造を二重構造として、使用者の直接手の触れるグリル庫１２より遠い窓板（トッププレート１０の非印刷領域Ｒ）の過熱を防止するとともに、グリル庫１２に近い窓（窓部４０）については単体で引き出すことが可能な構造としたために、汚れやすい窓部４０のみを掃除することができる。
つまり、使用者の安全性および覗き窓の清掃性を同時に向上させることができる。しかも、窓部４０はフラットな形状であるため、一層掃除がしやすい。
【００３７】
さらに、窓部４０は窓板押さえ４５により下向きに押さえ込まれているため、窓部４０より上部に油煙が回りこむことがなく、トッププレート１０を汚すことがない。
特に、本実施例のようなガラス性のトッププレートは重く、また、ビルトインコンロのトッププレートは大きいために、取り外して裏面から拭き取ることが困難であるが、上記のような構成により、トッププレート１０をわざわざ取り外して裏から拭き取る必要がない。
【００３８】
また、窓部４０をトッププレート１０と平行に備え、器具前面にスライドして取り出す構造としたために、上下方向のスペースを取らない。そのため、覗き窓の面積を十分に大きくした場合であっても、他部品の設置位置を制限しない。
これにより、従来に比べて覗き窓の面積を大きくすることができ、グリル庫１２内の視認性を一層向上させることができる。
【００３９】
また、グリル庫１２より遠い窓については、ガラス製のトッププレート１０に非印刷領域Ｒを設けることにより、覗き用の窓とトッププレート１０とを兼用したために、グリル庫確認用の窓を別途トッププレート１０上に取り付ける必要がなく、トッププレート１０をフラットな形状とすることができる。
そのため、トッププレート１０の美観を向上させることができるとともに、トッププレート１０上面に煮汁がこぼれても、上面をサッと拭くだけできれいになり清掃性を向上させることができる。
また、従来のように別体の覗き窓をもたないため、覗き窓とトッププレート１０との間に隙間が形成されることがなく、調理容器からこぼれた煮汁が器体１内に入り込むようなことが無い。加えて、覗き窓の面積を大きくする場合であっても、非印刷領域Ｒの面積を増加させるだけでよく、安価である。
さらに、部品点数を減少させることができるために、安価に製造することが可能である。
【００４０】
しかも、窓部４０の下部にシャッター４１を設けるとともに、シャッター４１を複数の分割板４３で形成したブラインド構造としたために、窓部４０の脂汚れを防止できるとともに、シャッターを一枚の分割板で形成し回転作動させる場合と比較して、回転半径を減少させることができる。そのため、シャッター４１の作動スペースを減少させることができる。
また、覗き窓を大きくした場合であっても、一枚一枚の分割板４３の大きさは変化させずに分割板４３の数を増加させてシャッター４１面積を増加させることができる。つまり、覗き窓の面積を大きくした場合であっても、シャッター４１の回転半径は増加せず、シャッターの上下方向の作動スペースは増加しない。
これにより、シャッター４１の作動スペースに制限されず覗き窓の面積を増加させることができる。
【００４１】
さらに、シャッター４１を形成する分割板４３について、各々中央に向けて下向きの傾斜面を左右に形成した断面略Ｖ字形状とし、シャッター４１が閉じている状態においては、各分割板４３が連なって一枚のシャッターを形成する形状をその前後のグリル天板３０と同一形状としたために、覗き窓下部におけるバーナ燃焼排気の自然対流についても被調理物の加熱に最も適したものとすることができる。
これにより、被調理物Ｆを均一に加熱して焼き上げることが可能となる。
【００４２】
以上、本発明の実施例について説明したが、本発明は、こうした実施形態に何ら限定されるものではなく、本発明の要旨を逸脱しない範囲において種々なる形態で実施しうることはもちろんである。
例えば、グリル庫に近い内側の覗き窓は、器具の正面上方から引き出すものに限定しないし、覗き窓の位置はグリル天板の手前上面に限定するものではない。
また、グリル庫から遠い外側の覗き窓について、トッププレートと一体形成したものに限定しない。
さらに、覗き窓の下方にはシャッターを設けなくてもよい。
【産業上の利用可能性】
【００４３】
本発明は、グリル付テーブルコンロおよびキッチンユニットに組込まれるグリル付ビルトインコンロ等の種々のグリル付コンロに適応することができる。
【図面の簡単な説明】
【００４４】
【図１】本発明実施例のグリル付コンロを側面から見た断面図である。
【図２】本発明実施例のグリル付コンロを正面から見た断面図である。
【図３】本発明実施例のグリル付コンロを示した説明図である。
【図４】従来のグリル付コンロを示した説明図である。
【図５】本発明実施例の窓部を示した説明図である。
【図６】本発明実施例の覗き窓組立を示した説明図である。
【図７】本発明実施例のグリル付コンロを示した説明図である。
【図８】従来のグリル付コンロの覗き窓部を側面から見た断面図である。
【図９】本発明実施例のグリル付コンロのシャッターを示した説明図である。
【図１０】本発明実施例のグリル付コンロのシャッターを示した説明図である。
【図１１】本発明実施例のグリル付コンロのシャッターを示した説明図である。
【図１２】本発明実施例のグリル付コンロのシャッターを示した説明図である。
【図１３】本発明実施例のグリル付コンロを側面から見た断面図である。
【図１４】本発明実施例のグリル付コンロを正面から見た断面図である。
【符号の説明】
【００４５】
１  ビルトインコンロ
Ｒ  非印刷領域
１０  トッププレート
１２  グリル庫
２２  焼網
２４  受皿
３２  枠体下部
３３  枠体上部
３４  覗き窓組立
４０  窓部
４１  シャッター
４２  引っ張りバネ
４３  分割板
４４  リンク棒
４５  窓板押さえ
４６  支え棒
４７  レバー
４８  つまみ
４９  Ｌ型アーム
５０  排気室
５１  排気口
６２  取手
８２  支え部
３０ａ  覗き用開口部
４０ｂ  窓板  
４０ｄ  取手
【図１】
2005111089.tif 000003
【図２】
2005111089.tif 000004
【図３】
2005111089.tif 000005
【図４】
2005111089.tif 000006
【図５】
2005111089.tif 000007
【図６】
2005111089.tif 000008
【図７】
2005111089.tif 000009
【図８】
2005111089.tif 000010
【図９】
2005111089.tif 000011
【図１０】
2005111089.tif 000012
【図１１】
2005111089.tif 000013
【図１２】
2005111089.tif 000014
【図１３】
2005111089.tif 000015
【図１４】
2005111089.tif 000016